(57)【特許請求の範囲】
【請求項１】
乳房を覆うカップの端縁部位にスカラー部を、前記カップの表面に装飾レース部を備えたブラジャー用カップ製品であって、
前記スカラー部と装飾レース部とが一体のレース編地であるとともに、前記装飾レース部の前記スカラー側の部位に帯状のスカラー補強レース部を備え、前記レース編地が、編み立て上がり状態で一体のレース編地を、型成形により、前記スカラー部を端縁部として立体形成したものであるブラジャー用カップ製品。
【請求項２】
前記レース編地が、カップ膨出中心から、前記カップ膨出中心を巡るカップ周縁部に渡って、前記編み立て上がり状態で一体のレース編地を前記型成形したものである請求項１記載のブラジャー用カップ製品。
【請求項３】
前記レース編地が、編地編経方向もしくは編地緯方向の何れか一方もしくはその両方向に伸縮性を備える請求項１又は２記載のブラジャー用カップ製品。
【請求項４】
前記スカラー補強レース部に、通常の装飾レース部より、太い糸が採用されている請求項１又は２記載のブラジャー用カップ製品。
【請求項５】
前記スカラー補強レース部の弾性収縮力が、通常の装飾レース部より強い請求項１又は２記載のブラジャー用カップ製品。
【請求項６】
請求項１〜５のいずれか一項記載のブラジャー用カップ製品を使用してなるブラジャー製品。
【発明の詳細な説明】
【０００１】
【発明の属する技術分野】
本発明は、乳房を覆うカップの端縁部位にスカラー部を、前記カップの表面に装飾レース部を備えたブラジャー用カップ製品及びそのようなカップを使用したブラジャー製品に関する。
【０００２】
【従来の技術】
ブラジャー用カップ製品Ｃとしては、図７に示すように、表面にレース６１を配したものがあり、最近、カップ製品Ｃの上縁部にスカラー（スカラップ）Ｓと呼ばれる、波状の装飾部を連続して配したものが好まれている。
このような製品の製造工程の一例を示すと、例えば、図６に分解して示すように、立体成形されたウレタン製のカップＣａの表面側及び裏面側に所定の布地６２、６３を配すると共に、スカラー用のレースＳａを、カップＣａの上縁部に配している。
【０００３】
このような製品Ｃの製造にあたっては、上記立体成形されたウレタン製のカップＣａを用意すると共に、面状に編み立てられる広幅レースを、製品に要求される立体成形形状に合わせて、立体成形（具体的にはモールド成形）し、図８に示す（立体成形部位をＭで、破線で裁断位置を示した）ように、これを所定形状に裁断して、表地用のレースである布地６２を得ている。同様に、裏地用の布地６３が、立体状態で得られる。
【０００４】
従来、スカラーＳを備えるために、図６に示すように、このスカラー形成用のレースＳａが別途用意される。
上記した手法で、ブラジャーを得るには、主要素材として、前記ウレタン製カップＣａ、モールド成形されたレース６２、裏地材６３およびスカラー用のレースＳａが用意され、これらが、一体に縫製されて、その所定縁部にスカラーＳを備えたカップ製品Ｃを得ることとなる（図７）。
上記のモールド成形されたレース６２を製造するにあたっては、そのレースとして、比較的広幅の広幅レースを製造し、例えば、図８に示すレースの所定位置Ｍをモールド成形（立体成形）するものとしていた。
【０００５】
一方、ブラジャー製品は、乳房を覆うための一対のカップと、これらのカップを中央部で接続する中央接続部位と、肩紐、背面バンド等を備えて構成されている。
従って、ブラジャーを得ようとすると、少なくとも左右一対のカップを準備する必要がある。
最近、ブラジャー装着時の乳房部のシルエットを美しく見せる（乳房間の谷間を深く見せる）等の理由から、装着時に乳房を中央側に寄せるブラジャー構造が採用されている。
【０００６】
従来、このような中寄せ用に使用するカップを製造する場合、そのモールド成形型としては先端球形のモールド成形型を使用して、一対の半球形成形体（図９（ロ）に示す形状）を得た後、裁断を半球の中心を外して行い（図９（ロ）に破線で示す）、最大膨出部を中央側に寄せて縫製を行って（図９（ホ）に示す）、一対の乳房に当たるブラジャーの主要部材を製造するものとしていた。
一方、概略、半球形に形成されるカップ素材を適当に立体裁断および立体縫製して、希望形状のブラジャー用のカップを得る場合もある。
【０００７】
【発明が解決しようとする課題】
上記従来技術には、美観に関して二つの問題があった。
１  装飾レースとスカラー部との繋ぎ部の問題
上記の図７に示すようなカップ製品Ｃを製造しようとすると、ウレタン製のカップＣａ、表地用のレース６２、裏地材６３、および、スカラー用のレースＳａを用意し、これらを一体に縫製する必要があり、図７に示すように縫製部Ｔが多々あることにより、美観の点で問題があると共に、この縫製部Ｔにはテープｔを位置させて縫製するため、この部分がごつごつする。
【０００８】
２  装着時のシルエット形成上の問題
一方、上記した装着時のシルエットに関して述べると、半球形に成形されるカップを使用して、その最大膨出部（半球の頂点）を中央側に寄せてブラジャーを製造する場合（図９（ホ）参照）は、裁断・縫製加工に精度を要すると共に、均一で所望のシルエットのものが得にくく、改良の余地があった。
一方、立体裁断・立体縫製を行うものにあっては、手間が掛かり、コストアップにつながる。
本願発明の目的は、スカラー部を備えたレースを有するものでありながら、美観及びシルエットにおいて優れ、コストアップを招来しないブラジャー用カップ製品及びブラジャー製品を得ることにある。
【０００９】
【課題を解決するための手段】
この目的を達成するための本発明による、乳房を覆うカップの端縁部位にスカラー部を、前記カップの表面に装飾レース部を備えたブラジャー用カップ製品の特徴構成は、請求項１に記載されている様に、
前記スカラー部と装飾レース部とが一体のレース編地であるとともに、前記装飾レース部の前記スカラー側の部位に帯状のスカラー補強レース部を備え、前記レース編地が、編み上がり状態で一体のレース編地を、型成形により、前記スカラー部を端縁部として立体形成したものであることが好ましい。
【００１０】
このブラジャー用カップ製品にあっては、カップ表面に表れる装飾レース部とスカラー部とが一体のレース編地から構成されるため、装飾レース部とスカラー部との間に縫製部あるいはテープ等を備える必要が無くなり、美観的非常に優れたブラジャーを得ることができる。
さらに、装飾レース部のスカラー側部位に帯状のスカラー補強レース部を備えることで、この部位の保形性を良好に保つことができ、スカラー部が配設される、例えば、乳房を覆うブラジャーの上側端縁部を好ましい形状に保ち、乳房周りを美しく見せるというブラジャーに求められる要請を、満たすことができる。
さらに、製造上の手間も少なくなるため、廉価な製品を得ることができる。
【００１１】
このような構成を採用する場合に、請求項２に記載されているように、前記レース編地が、カップ膨出中心から、前記カップ膨出中心を巡るカップ周縁部に渡って、前記編み立て上がりの単一のレース編地を前記型成形したものであることが好ましい。
ブラジャー用のカップ製品において、装飾性を要求される部位は、上記したスカラー部と装飾レースとが繋がるカップの周縁部であるとともに、カップの中心及びその周縁部も美観上、重要である。特にカップに膨出中心上には、通常装飾レースが来るが、この部位で、装飾パターンが連続していることが好ましい。
例えば、カップ周縁部からカップ膨出中心に向けて立体化のための切断もしくは縫製部等がある場合は、レース装飾柄上の不連続が発生し、美観的に劣ることとなる。
しかしながら、上記したように、カップ膨出中心から、前記カップ膨出中心を巡るカップ周縁部に渡ってレース編地が一体であると、装飾的に連続し、さらに、自然な立体形状を有するカップとすることが可能となり、結果的に、美観の上で製品価値の非常に高いブラジャー用カップ製品を得ることができる。
【００１２】
さらに、請求項３に記載されているように、前記レース編地が、編経方向もしくは編緯方向の何れか一方、もしくはそれら両方向に伸縮性を備えたレース編物であることが好ましい。
従来、ブラジャーのカップに使用するためのレース編物は、特に伸縮性を与えられることなく、所謂、リジッドな編物が利用されてきたが、本願のように、型成形により比較的複雑な立体形状を得る場合にあっては、編地の経、緯方向等に弾性を有する編地を使用することで、レース編地の切断等を伴うことなく立体型成形を行うことが可能となり、結果的に、弛み、破れ等の発生を避けて、カップの製造を行うことができる。
【００１３】
さて、前記スカラー補強レース部を構成する場合、請求項４に記載されているように、その部位に、通常の装飾レース部より太い糸を採用して、この部位を構成することが可能であるとともに、請求項５に記載されているように、前記スカラー補強レース部の弾性収縮力が、通常の装飾レース部より強い構成とすることもできる。
さて、シルエットを美しくするという目的に対しては、乳房間の谷間となるブラジャー中央部位に近いカップ中央側部位の膨出曲率が大きく、前記中央側部位からブラジャー中央部位に対して離間するカップ離間側部位の膨出曲率が小さいものとされていることが、好ましい。
カップ中央側部位とそれから離間するカップ離間側部位とで膨出曲率が異ならせてあり、前者のほうが後者より大きくされているものである。従って、このカップにあっては、中央側の膨出容積が大きいために、結果的に、乳房が中央側へ寄ることとなり、所定の効果を得ることができる。
【００１４】
更に、乳房間の谷間となるブラジャー中央部位に近いカップ中央側部位に、最大膨出部を備えることが好ましい。
また、カップの最大膨出部位の位置がカップ中央側部位とされるものである。従って、このカップにあっては、乳首の位置あるいは乳房の全体を中央側に寄せることができるため、結果的に、乳房が中央側へ寄ることとなり、所定の効果を得ることができる。
【００１５】
この場合、乳房間の谷間となるブラジャー中央部位に近いカップ中央側部位の膨出曲率が大きく、前記カップ中央側部位から離間するカップ離間側部位の膨出曲率が小さく形成され、乳房間の谷間となるブラジャー中央部位に近いカップ中央側部位に、最大膨出部を備えた変形カップとされていることも好ましい態様である。
【００１６】
【発明の実施の形態】
本願の実施の形態を以下説明する。
本願はブラジャー用のカップ製品およびこのカップ製品を使用して製造されるブラジャーに関するものであり、製品を製造する場合に使用する、モールド成形する場合のモールド成形型の形状にも、その特徴がある。
【００１７】
先ず、製造される面状レース素材１の組織構成から説明する。
図１に示すように、面状レース素材１は、装飾レース部２の側部（編地の編み立て方向Ｗに対して、これに直交する編地幅方向の側部）にスカラー部３を、装飾レース部２に対するスカラー部３を挟んだ反対側に捨て組織部４を備えて構成される。
この面状レース素材１の地組織に使用されるネット組織は、通常の４コースネットを採用することなく、経、緯方向のバランスのよいダイヤネットを採用した。
ここで、装飾レース部２は、所定のパターンで柄出しを行ったレース部位であり、例えばラッセルレースでは、基本組織であるネット上に柄糸２ａを所定のパターンで編込んで柄出しを行ったレース部位である。
【００１８】
一方、スカラー部３はスカラップとも呼ばれるが、レースの編み立て方向において、波状を成して形成される部位であり、例えばラッセルレースの場合は、基本組織であるネット上に、柄糸の一種と同一視されるスカラー糸３ａを所定ループを形成させながら柄出しを行ったもので、ループＲが図１に示すように編み立て方向で波状を描きながら連続して編み立てられる部位で、複数の波型が、編み立て方向Ｗで繰り返して形成される。
【００１９】
前記捨て組織部４は、基本的には、柄糸を備え無い単純なネット組織を有する部位であり、この組織部は編地の切断が容易である。
但し、この捨て組織部が柄糸を有するもの、生地調の組織を成しているものであってもいっこうに問題はない。
【００２０】
また、図１に示すように、捨て組織部４の端部（スカラー部３に対する反対側）は、素材固定部４０として構成されており、スカラー部に接続して設けられる通常の捨て組織部４１に対して、この部位４０では、糸種の太いものが採用されると共に、組織密度が上がる構成とされている。
【００２１】
更に、装飾レース部２のスカラー部３に近い位置（装飾レース部の一部）が、スカラー補強レース部２０として形成されている。
このスカラー補強レース部２０にあっても、通常の装飾レース部２０ａより、その糸種として太いものが採用されており、この部位２０に腰を与えることで、スカラー部３の形状安定性を確保できる。例えば、通常の装飾レース部２０ａには、ラッセルレースの場合、チェーンステッチを成す経糸として２１０デニールのポリウレタン糸を採用するのに対して、スカラー補強レース部２０には、その倍の４２０デニールの糸を採用する。
【００２２】
編成される面状レース素材１は、よく知られているように、編地を成すウェールに沿って弾性糸（図外）を挿入することで、編地経方向に、さらに弾性が付与されると共に、その緯糸（地組織を構成する緯糸）に弾性糸（図外）を採用することで、編地幅方向においても弾性を付与されている。従って、編地は所謂、ツーウェイとして構成されている。
【００２３】
以上が、本願の立体レース素材５を製造する場合に、準備段階として、立体成形前の面状レース素材１を得る場合に関する説明である。このようにして、素材編成工程を終える。
【００２４】
以下、立体成形、捨てネットの除去処理、さらに、別途成形されるウレタン製のカップＣａとの一体化に関して説明する。
立体成形工程
上記のようにして得られた面状レース素材１を、この立体成形工程において、立体形成（具体的にはモールド成形）する。このような立体成形は、図２に示すように、素材固定部２１とこの素材固定部２１に固定された布２２をモールド処理するためのモールド成形型２３を備えた立体成形装置２４によって行われる。
【００２５】
本願にあっては、図３を例に採って示すと、この成形時に、スカラー部５を立体成形端部位置（図３にあっては立体成形端部位置がウレタンのカップＣａの端部位置に合致するため、実線で示すＣａの端部位置が、この立体成形端部位置となる）に配置して、その立体成形を行う。
【００２６】
この立体成形にあたって、面状レース素材１を立体成形装置２４に固着する場合に、その捨て組織部４に備えられた素材固定部４０を使用する。即ち、図１に、実線、破線の丸線で示すように、固定時に、この素材固定部４０を利用すると共に、スカラー部３を横断して編地の周縁部を固定用に使用すると共に、スカラー部３とは反対側の装飾レース部位４の周縁箇所（図１における破線で囲まれた部位）を固定用に使用する。
【００２７】
さらに、図９（イ）、（ハ）に示すように、前記モールド成形用のモールド成形型２３は、ブラジャーとして製造された場合に、乳房間の谷間となるブラジャー中央部位に近いカップ中央側部位２３ａの膨出曲率を大きく、中央側部位２３ａから離間するカップ離間側部位２３ｂの膨出曲率を小さく成形可能で、乳房間の谷間となるブラジャー中央部位に近い中央側部位２３ａに、最大膨出部２３ｃ（カップ膨出中心とみなせる）を成形可能な様に、ブラジャー中央部位に近いカップ中央側部位２３ａの膨出曲率を大きく、カップ中央側部位２３ａから離間するカップ離間側部位２３ｂの膨出曲率を小さく構成されていると共に、乳房間の谷間となるブラジャー中央部位に近い中央側部位２３ａに、最大膨出部２３ｃを備えている。
【００２８】
また、図９（ハ）の矢視で示す断面である断面図９（ニ）（図面上  上側がカップの上側）に示すように、ブラジャー中央部位に対して近接・離間する方向であるカップ横断方向に対して、直交するカップ上下方向にあって、カップ下側部位２３ｄの膨出曲率を小さく、カップ上側部位２３ｅの膨出曲率を大きく成形可能な様に、カップ上下方向においても、その膨出曲率が変えられている。
【００２９】
従って、面状レース素材を所定形状の変形カップとして成形することができる。
【００３０】
このような立体成形装置２４へのレース素材の固定の後、モールド成形型２３を使用して、素材の立体成形を行うとともに、この形状固定を行う。
本願にあっては、糸素材としてナイロン６．６を採用することから、ヒートセットにより、立体形状の固定が完了する。
【００３１】
立体成形を完了した状態にあっても、立体レース素材５は、図３に示すように、部分的に立体突出された複数の部位Ｍを有する帯状となる。但し、図３には、ウレタン製のカップＣａを一体化させた状態を示している。
【００３２】
一体化工程
上記のようにして得られた部分的に立体突出された複数の部位Ｍを有する素材５に、別途用意されるウレタン製のカップＣａを、それぞれ、装着する。
この装着操作にあっては、縫製を行うのが通常である。但し、接着等の操作をおこなっても良い。
【００３３】
このような一体化工程にあって、レース素材のスカラー部３は、カップ製品Ｃの端縁部に位置させる。このようにすることにより、スカラー部３が裏打ち部材であるウレタン製のカップＣａの端部に位置する状態で、裏打ち部材Ｃａと立体レース素材５が一体化した立体レース製品（ブラジャー用カップ製品の一種）を得ることができる。
【００３４】
除去工程
次に、上記のようにして得られる帯状の素材を対象として、捨てネット部４をスカラー部３に沿って除去する。更に、個々のカップを独立して得る場合は、カップの周縁部を例えば切断除去する。このような切断線を図３に破線で示した。
【００３５】
このようにして端部にスカラー部３を備え、装飾レース部２が立体形状を有するカップ（ただし、この場合は単独のカップとされており、立体レース素材とウレタン製カップＣａが一体化したもので本願に言うブラジャー用カップ製品）を得ることができる。
図４に、本願手法により得られるカップ製品Ｃの外観を示した。これは図７に示すものに対応するものであるが、レース素材からなる表地にスカラーＳが一体に備えられているため、カップの上縁部にテープを備える必要が無く、すっきりしていることに特徴がある。
【００３６】
仕上げ工程
上記のようにして得られた個々のカップ製品を適切に組み合わせてブラジャーを得る。この工程は縫製による。このようにしてブラジャー製品を得る。
【００３７】
〔別実施の形態例〕
（イ）  上記の実施の形態にあっては、帯状の立体レース素材（一部、突出成形されたもの）に、ウレタン製のカップＣａを一体化させた後、切断・除去を行ったが、帯状の立体レース素材を、個々に所定の形状に切断した後、個々のカップＣａに対する一体化を実行しても良い。この場合、個々の立体レース素材にカップＣａを装着したものを、本願にいうブラジャー用カップ製品と呼ぶのみならず、個々の立体レース素材も、本願にいうブラジャー用カップ製品に該当することとなる。
（ロ）  上記の実施の形態にあっては、裏打ち部材として所定形状に加工されたポリウレタン性のカップＣａを利用したが、立体形状とされる不織布からなる裏打ち部材を利用しても良い。
【００３８】
（ハ） 上記の実施の形態にあっては、面状レース素材を立体成形する場合に、変形カップの製造用に、中央側と離間側とで膨出曲率が異なり、最大膨出部が中央側に寄っているカップ製造用に素材をレース素材から製造する場合を示したが、このような変形した立体形状の成形対象は、レース素材の他、ポリウレタン製のカップ、不織布、裏地にも適応できる。
【００３９】
（ニ）  上記の実施の形態にあっては、立体レース素材の製造機械に関する記載は特にしなかったが、本願は、任意のレース編み機により製造されるレースを採用可能である。代表的なものを挙げれば、ラッセル機によるもの（ラッセルレースと呼ばれる、落下板方式によるもの、ジャガード方式によるものを含む）、リバー機によるもの（リバーレースと呼ばれる）、さらには、エンブロイダリーレースと呼ばれるものを挙げることができる。
【００４０】
（ホ）  上記の実施の形態にあっては、ブラジャー用のものを示したが、ブラジャーにスリップが一体化されたもの（所謂、ブラスリップ）、ブラジャーとキャミソールが一体化したもの（所謂、ブラキャミソール）等にも適応できる。
本願にあっては、これらを総称して、ブラジャー製品と呼ぶ。
【００４１】
（へ）  上記の図４に示す実施の形態にあっては、乳房を覆うカップ全体が単一のレース編地からなるものを示した。この例が最も、本願の目的を良好に達成するものではあるが、図５（イ）に示すように、カップの下部域に上側の装飾レース部とは異なった意匠を施すために、他の装飾レースを縫製等の手段により連結したものであっても、上部側のカップ膨出中心を含み、その中心を巡る本体カップに関しては本願の目的を達成するものとできる。
同様に、図５（ロ）に示すように、上記、本体カップに対して、ブラジャーの左右部位に他の装飾レースを配したものでも、本体カップに関しては同様の効果を得ることができる。
【図面の簡単な説明】
【図１】編上がり状態のレース素材の組織構成の概略説明図
【図２】立体成形装置の説明図
【図３】ポリウレタンのカップを一体化した立体レース素材の説明図
【図４】立体レース製品の構成を示す図
【図５】本願の別実施の形態を示す図
【図６】従来手法における主要部材構成を示す分解図
【図７】従来のカップ製品の構成図
【図８】従来の立体成形位置を示す説明図
【図９】本願と従来のカップの立体形状の比較を示す説明図
【符号の説明】
１    レース素材
２    装飾レース部
２ａ  柄糸
３    スカラー部
３ａ  スカラー糸
４    捨てネット部
５    立体レース素材
２０  スカラー補強レース部
２４  立体成形装置
６１  レース素材
６２  表地
６３  裏地
Ｃ    カップ製品
Ｃａ  ウレタン製のカップ
Ｓ    スカラー
Ｓａ  スカラー用レース
Ｍ    立体成形部
Ｔ    縫製部
ｔ    テープ
【図１】
0003797892.tif 000002
【図２】
0003797892.tif 000003
【図３】
0003797892.tif 000004
【図４】
0003797892.tif 000005
【図５】
0003797892.tif 000006
【図６】
0003797892.tif 000007
【図７】
0003797892.tif 000008
【図８】
0003797892.tif 000009
【図９】
0003797892.tif 000010